(57)【要約】【課題】  絞り羽根を駆動する駆動部材の復帰動作を利用し簡単な構成で、シャッタ羽根を初期位置へ復帰させる省電力型のセクタ駆動装置を提供する。【解決手段】  基板２に形成した開口３を開閉するシャッタ羽根と、前記開口３の開口径を変える絞り羽根２０，３０，４０と、この絞り羽根を駆動する駆動部材１０とを備え、前記駆動部材１０が初期位置に戻る駆動力を利用し、前記シャッタ羽根を初期位置へ戻すシャッタ羽根復帰機構１３、６０、６７を備えたセクタ駆動装置１である。本セクタ駆動装置では、駆動部材が初期位置に戻る駆動力を利用したシャッタ羽根復帰機構によってシャッタ羽根が初期位置に戻されるので、常にシャッタ駆動用の電磁アクチュエータを用いてシャッタ羽根を元に戻す装置と比較して消費電力を抑制できる。【選択図】    図１
2005189656.tif 000002
【特許請求の範囲】
【請求項１】
基板に形成した開口を開閉するシャッタ羽根と、前記開口の開口径を変える絞り羽根と、前記絞り羽根を駆動する駆動部材とを備え、
前記駆動部材が初期位置に戻る駆動力を利用し、前記シャッタ羽根を初期位置へ向けて戻すシャッタ羽根復帰機構を備えたことを特徴とするセクタ駆動装置。
【請求項２】
前記シャッタ羽根は開放羽根と閉鎖羽根とを有し、前記各羽根が駆動された後に、それぞれの前記各羽根が前記シャッタ羽根復帰機構によって初期位置へ向けて戻されることを特徴とする請求項１に記載のセクタ駆動装置。
【請求項３】
前記シャッタ羽根復帰機構は、前記シャッタ羽根の開閉に伴って回動する当接カムと、前記駆動部材の外周部に形成され該駆動部材が初期位置に戻るときに前記当接カムに当接して、前記シャッタ羽根を初期位置へ戻す凸部とで構成されていることを特徴とする請求項１又は２に記載のセクタ駆動装置。
【請求項４】
前記シャッタ羽根復帰機構は、前記シャッタ羽根の開閉に伴って回動する当接カムと、前記当接カムに当接可能に設けられた回動可能なアイドルレバーと、前記駆動部材の外周部に形成され、該駆動部材が初期位置に戻るときに前記アイドルレバーを介して前記当接カムに当接して、前記シャッタ羽根を初期位置へ戻す凸部とを、含んでいることを特徴とする請求項１又は２に記載のセクタ駆動装置。
【請求項５】
前記駆動部材は前記開口と同心となるように配置した駆動リングであり、該駆動リングが電磁アクチュエータによって周方向の所定範囲を回動されることを特徴とする請求項１から４のいずれかに記載のセクタ駆動装置。
【発明の詳細な説明】
【技術分野】
【０００１】
本発明は、カメラやビデオカメラなどで採用されるセクタ駆動装置に関する。
【背景技術】
【０００２】
カメラ等に内蔵されているセクタ駆動装置には種々の形態がある。例えば一種のセクタを絞り羽根及びシャッタ羽根として兼用するものや、シャッタ羽根用及び絞り羽根用として異なるセクタを内蔵しているものがある。後者のセクタ駆動装置の場合には、先ず絞り羽根を駆動して所定の絞り状態を形成してから、シャッタ羽根を開閉駆動して撮影が行われる。この後者のセクタ駆動装置は例えば特許文献１に開示されている。
【０００３】
特許文献１で開示するセクタ駆動装置は、それぞれ２枚１組で構成した開放シャッタ羽根及び閉鎖シャッタ羽根が内蔵されている。また、これとは別に７枚の絞り羽根が内蔵されており、これら絞り羽根は絞りリングによって開閉駆動されるようになっている。この装置のように開放シャッタ羽根と閉鎖シャッタ羽根とを採用しているセクタ駆動装置では、初期において閉状態であった開放シャッタ羽根が開状態に移行し、所定時間後に開状態であった閉鎖シャッタ羽根が閉状態へ移行するという入れ替り動作によって撮影（露光）が実行される。
【０００４】
そして、撮影が完了した後にあっては、閉状態から開に転じた開放シャッタ羽根は再度、初期の閉状態に戻される。同様に開状態から閉に転じた閉鎖シャッタ羽根は再度、初期の開状態に戻される。そのため、撮影が完了したときには、各シャッタ羽根は初期位置に戻され、次の撮影のために待機する。このようにシャッタ羽根を初期位置（元の位置）に戻すのは、シャッタ羽根を駆動するモータの運動特性に配慮するからである。一般に、モータが正転するときと、逆転するときとでは運動特性が異なる。よって、常に同じ状態でシャッタ羽根を駆動するという観点から、上記のように開放及び閉鎖の２組のシャッタ羽根を用いるときには、一方を閉じ専用、他方を開専用としてシャッタ動作を安定化させている。
【０００５】
【特許文献１】実開平６−８２６３０号  公報
【発明の開示】
【発明が解決しようとする課題】
【０００６】
しかしながら、近年のカメラはあらゆる点で電子化されており消費電力が大きくなっている。上記のように撮影が完了する度にモータを駆動してシャッタ羽根を初期位置に戻す構成では、より多くの電力が必要となり省電力化の要請に反することになる。
【０００７】
そこで、本発明の目的は、絞り羽根を駆動する駆動部材の復帰動作を利用し簡単な構成で、シャッタ羽根を初期位置へ復帰させる省電力型のセクタ駆動装置を提供することである。
【課題を解決するための手段】
【０００８】
上記目的は、基板に形成した開口を開閉するシャッタ羽根と、前記開口の開口径を変える絞り羽根と、前記絞り羽根を駆動する駆動部材とを備え、前記駆動部材が初期位置に戻る駆動力を利用し、前記シャッタ羽根を初期位置へ向けて戻すシャッタ羽根復帰機構を備えたセクタ駆動装置によって達成される。
【０００９】
本発明によると、駆動部材が初期位置に戻る駆動力を利用したシャッタ羽根復帰機構によってシャッタ羽根が初期位置に戻されるので、シャッタ駆動用の電磁アクチュエータのみを用いてシャッタ羽根を元に復帰させるようにした装置と比較すると消費電力を抑制できる。
【００１０】
また、前記シャッタ羽根は開放羽根と閉鎖羽根とを有し、前記各羽根が駆動された後に、それぞれの前記各羽根が前記シャッタ羽根復帰機構によって初期位置へ戻されるように構成してもよい。本発明は、このように開専用及び閉専用のシャッタ羽根を備える構造でも省電力を図りながら初期位置へ復帰させることができる。
【００１１】
そして、前記シャッタ羽根復帰機構は、前記シャッタ羽根の開閉に伴って回動する当接カムと、前記駆動部材の外周部に形成され該駆動部材が初期位置に戻るときに前記当接カムに当接して、前記シャッタ羽根を初期位置へ戻す凸部とで構成されているセクタ駆動装置としてもよい。また、前記シャッタ羽根復帰機構は、前記シャッタ羽根の開閉に伴って回動する当接カムと、前記当接カムに当接可能に設けられた回動可能なアイドルレバーと、前記駆動部材の外周部に形成され、該駆動部材が初期位置に戻るときに前記アイドルレバーを介して前記当接カムに当接して、前記シャッタ羽根を初期位置へ戻す凸部とを、含んでいるセクタ駆動装置としてもよい。
【００１２】
なお、前記駆動部材は前記開口と同心となるように配置した駆動リングであり、該駆動リングが電磁アクチュエータによって周方向の所定範囲を回動されるように構成することができる。
【発明の効果】
【００１３】
以上説明したように、本発明によれば、絞り羽根を駆動する駆動部材の動作を利用してシャッタ羽根が初期位置へ向けて戻すように構成しているので、省電力化を図ったセクタ駆動装置を提供できる。
【発明を実施するための最良の形態】
【００１４】
以下、本発明の一形態に係るセクタ駆動装置を図面に基づいて説明する。なお、本セクタ駆動装置は異なる２種類のセクタを備えている。その１種は撮影時に開口を開閉するシャッタ羽根として機能するセクタ（以下、単にシャッタ羽根という）であり、他の１種は開口の開口径を変える絞り羽根として機能するセクタ（以下、単に絞り羽根という）である。本セクタ駆動装置は、４枚のシャッタ羽根を含み、これらは２枚ずつが組を成し、開放シャッタ羽根と閉鎖シャッタ羽根となっている。また、本セクタ駆動装置は３枚の絞り羽根を有し、これらは駆動部材としての駆動リングの回動動作によって揺動して、所定絞りの開口３を形成する。
【００１５】
本セクタ駆動装置に含まれる全てのセクタや、その周辺構成を全て同時に図示すると見難くいものとなるで、適宜に図示を省略して各部の構成と動作が理解し易いように説明する。図１は、初期状態にあるセクタ駆動装置１の様子を示した図である。この図では、シャッタ羽根の図示を省略し、絞り羽根２０，３０，４０を細い一点鎖線で示している。
【００１６】
図１により、本セクタ駆動装置１の構成を説明する。基板２は中心部に開口３を備えている。この開口３と同心となるように、駆動リング１０が回動自在に配設されている。この駆動リング１０は支持板により保持されているが、ここでは構成を確認し易くするために図示していない。また、基板２の前面側（図１の紙面手前側）には図示しないモータ基板が備えられており、そのモータ基板に電磁アクチュエータ５が配置されている。この電磁アクチュエータ５のロータ軸５ａはモータ基板を貫通して基板２側へ突出しており、この軸５ａにカナ６が固定されている。
【００１７】
上記カナ６には、基板２に固定された軸７に対して回動自在に軸支された歯車８が噛合している。この歯車８には一体的に回転するカナ９が固定されている。駆動リング１０の外周の一部には歯部１１が設けてあり、この歯部１１にカナ９が噛合している。よって、電磁アクチュエータ５の駆動力を受けた駆動リング１０は開口３の外周部を所定範囲で回動可能となっている。
【００１８】
上記駆動リング１０には、ほぼ等間隔に３個の絞り羽根駆動用ピン１２ａ，１２ｂ，１２ｃが背面側に向けて突出しており、仮想の一点鎖線で示した３枚の絞り羽根２０、３０、４０のそれぞれに形成したカム穴２５、３５、４５に係合している。これらの絞り羽根２０、３０、４０は、駆動ピン１２ａ，１２ｂ，１２ｃの移動に伴って開口３の開口径を変化させる。
【００１９】
絞り羽根２０、３０、４０は同じ構成となっているので絞り羽根２０を例に取り説明する。絞り羽根２０は基板２に固定された軸２１に嵌合する穴２２を備えて軸２１を中心に回動自在である。また、絞り羽根２０には上記駆動用のピン１２ａが係合するカム穴２５が形成されている。このカム穴２５は、駆動ピン１２ａの移動に伴って絞り羽根２０が開口３内に侵入及び退避するように設計されたカム曲線により規定された曲線状の長穴である。図１で示すのは駆動リング１０が初期位置（ホームポジション）にある初期状態であり、駆動ピン１２ａは絞り羽根２０のカム穴２５の左端部に位置して絞り羽根２０が開口３を閉じるように誘導している。絞り羽根３０、４０についても絞り羽根２０と同様の構成であり、これらの３枚の絞り羽根２０，３０，４０は駆動リング１０の駆動用のピン１２ａ，１２ｂ，１２ｃにより同じ様に揺動して協働で開口３の開口径を変化させる。
【００２０】
図１ではシャッタ羽根は図示していないが、シャッタ羽根を駆動する部分の構成が示されている。これらについて説明する。初期状態で閉である開放シャッタ羽根は、撮影時に図１で右側に配置た電磁アクチュエータ６３によって開へと駆動される。これとは逆に初期状態において開となっている閉鎖シャッタ羽根は、図１で左側に配置した電磁アクチュエータ７３によって閉へと駆動される。これらの電磁アクチュエータ６３、７３は、駆動リング１０を駆動する電磁アクチュエータ５と同様に基板２の前面側のモータ基板に配置されている。
【００２１】
電磁アクチュエータ６３のロータ軸６１は、モータ基板及び基板２を貫通して背面側に突出しており、基板２上のロータ軸６１には扇状の当接カム６０が固着されている。よって、この当接カム６０はロータ軸６１と共に回動する。また、基板２の背面側ではロータ軸６１から半径方向に腕部６４が延在され、その端部に作動ピン６５が設けられている。この作動ピン６５は基板２に形成したスリット４ａに対応する位置に配置され、スリット４ａを介して前面側に突出した状態となっている。この作動ピン６５は、図示を省略しているシャッタ羽根を開閉駆動する作動部材として機能する。作動ピン６５によるシャッタ羽根の開閉動作について後述する。
【００２２】
上記当接カム６０の近傍には、アイドルレバー６７が配置されている。このアイドルレバー６７は当接カム６０が所定姿勢となったときに当接可能な位置に配置されている。アイドルレバー６７は基板２に固定された軸６６に対して回動自在に軸支されている。その一方、駆動リング１０の外周には凸部１３が形成されている。この凸部１３は駆動リング１０の回動に伴って移動して、アイドルレバー６７に当接する。このように駆動リング１０の凸部１３がアイドルレバー６７に当接し、当接カム６０が所定姿勢にあるときに駆動リング１０の駆動力がアイドルレバー６７を介して当接カム６０に伝達される。
【００２３】
より詳細に説明すると、図１に示す初期状態のときには、駆動リング１０は反時計方向へ回動されておりカナ９が駆動リング１０の歯部１１の右端側で噛合している。このときには、電磁アクチュエータ６３によって駆動される開放シャッタ羽根（不図示）も初期状態、すなわち開口３を閉じる位置にある。そして、この状態では当接カム６０が図１に示した姿勢となっており、アイドルレバー６７が回動しても当接カム６０に当接しない。一方、開放シャッタ羽根が閉から開へ移行したときには、当接カム６０が時計方向へ回動する。この姿勢となったときにはアイドルレバー６７が当接する位置に来る（図３参照）。この後、駆動リング１０の反時計方向の回動動作によって凸部１３がアイドルレバー６７に当接すると、アイドルレバー６７が回動して当接カム６０に当接するようになる。
【００２４】
上記のような一連の流れにより当接カム６０が初期位置方向へ向けて戻される。これに伴って、開放シャッタ羽根が初期状態（開口３を閉じる状態）へと簡単に復帰される。なお、駆動リング１０の回動動作のみによって当接カム６０を初期位置に戻すように構成してもよいし、駆動リング１０の回動動作を補助として利用し当接カム６０が戻され始めたときに電磁アクチュエータ６３へシャッタ羽根を初期位置に戻す通電を行うように構成してもよい。どちらの場合でもシャッタ羽根を戻す際の電力消費を抑制できる。
【００２５】
上記で説明した構成では、駆動リング１０の凸部１３、アイドルレバー６７及び当接カム６０を含んで開放シャッタ羽根を初期位置へ向けて戻すシャッタ羽根復帰機構が形成される。なお、アイドルレバー６７は図１に示した姿勢が定常状態となるように弱い付勢力のコイルバネ等で付勢しておいてもよい。当接カム６０周部の構成では上記のようなシャッタ羽根復帰機構（第１のシャッタ羽根復帰機構）となっているが、反対側の閉鎖シャッタ羽根に関しては異なる構成の第２のシャッタ羽根復帰機構が採用されている。以下では、この第２のシャッタ羽根復帰機構の構成を含めて、閉鎖シャッタ羽根を駆動する構成について説明する。
【００２６】
閉鎖シャッタ羽根（図示せず）は初期状態で開となっており、図１で左側に配置した電磁アクチュエータ７３によって露光時には閉へと駆動される。この電磁アクチュエータ７３のロータ軸７１は、モータ基板及び基板２を貫通して背前側に突出しており、基板２上のロータ軸７１には扇状の当接カム７０が固着されている。この当接カム７０はロータ軸７１と共に回動する。また、基板２の背面側ではロータ軸７１から半径方向に腕部７４が延在され、その端部に作動ピン７５が設けられている。この作動ピン７５も基板２に形成したスリット４ｂを介して前面側に突出している。作動ピン７５は図示しない閉鎖シャッタ羽根を開閉駆動するために用いられる。
【００２７】
ここまでの構成は右側のシャッタ羽根を駆動する構成と同様である。しかし、左側の第２のシャッタ羽根復帰機構は右側とは異なっている。当接カム７０には、駆動リング１０の外周に設けた凸部１４が直接に当接する。この凸部１４は駆動リング１０の回動に伴って移動し、撮影のために回動した当接カム７０に当接して駆動リング１０の駆動力を伝達する。この当接カム７０の周部では、駆動リング１０の凸部１４と当接カム７０とを含んで、閉鎖シャッタ羽根を初期位置へ向けて戻す第２のシャッタ羽根復帰機構が形成される。この第２のシャッタ羽根復帰機構によっても、駆動リング１０の回動動作によって当接カム７０を初期位置に戻すことができる。よって、第２のシャッタ羽根復帰機構も、シャッタ羽根を戻す際の電力消費を抑制できる構造となっている。
【００２８】
なお、本セクタ駆動装置１では、上記のように異なる構成の２種類のシャッタ羽根復帰機構を採用している。しかし、このように異なる復帰機構を同時に採用することは必須の条件ではない。駆動リング１０に設ける凸部の配置や設置スペース等を総合的に勘案して最適なシャッタ羽根復帰機構を採用すればよい。
【００２９】
さらに、本セクタ駆動装置１は駆動リング１０が図１に示す初期位置にあることを検出するためのホームスイッチ５０を備えている。ホームスイッチ５０は、駆動リング１０の外周に対向するように配置されている。ホームスイッチ５０は、く字状に開脚する付勢バネ５２とバネ受け５３とを含んでいる。このバネ５２は、基板２に固定した軸５１に支持され、その一端５２ａを固定状態とし、他端５２ｂを開放端としている。固定端５２ａの先端部分は折り曲げられて基板２に形成した穴（図示せず）に差込まれている。バネ受け５３はシャッタ基板２に固定した軸５４に嵌合し、バネ５２の開放端５２ｂが所定の弾性力を持って接するとオンとなり、開放端５２ｂが離間するとオフとなる検出スイッチとなっている。この図１に示すように、開放端５２ｂがバネ受けとなる検出スイッチ５３に接触した状態が、ホームスイッチ５０がオンの状態であり、これにより駆動リング１０が初期位置（ホームポジション）にあることが検出される。
【００３０】
そして、上記ホームスイッチ５０の近傍には、く字状に一体形成した作動レバー５５が配設されている。この作動レバー５５は、中間部分が基板２に固定した軸に揺動可能に軸支されている。作動レバー５５の一端にはバネ５２が当接する当接部５７が、その他端側には当接部５８が形成されている。図１に示すのは初期状態である。このときには、バネ５２はバネ受け５３に当接してスイッチ５３をオン状態としている。そして、作動レバー５５にバネ５２の付勢力は伝達されていない。
【００３１】
一方、駆動リング１０を見ると、その外周に比較的大きな凹部１５が形成されている。駆動リング１０がホームポジションにあるときには、作動レバー５５の当接部５８をこの凹部１５に受け入れ、作動レバー５５にバネ５２の付勢力が掛からないようにして、バネ５２が確実にバネ受け５３と当接する構造となっている。
【００３２】
図１の状態から駆動リング１０を時計方向へ回動させて、絞り設定を行なうと作動レバー５５の下側の当接部５８が凹部１５から出て駆動リング１０の外周部に乗り上がる。この状態になると、作動レバー５５が反時計方向に回動するので、当接部５７がバネ５２の開放端５２ｂに当接して押上げる状態となる。これにより開放端５２ｂがスイッチ５３から離間するので、このスイッチ５３がオフになり駆動リング１０が初期状態から変化したことが検出される。
【００３３】
当接部５８の押圧方向は駆動リング１０の回転中心に向くように設定され、バネ５２の付勢力を利用して当接部５８が駆動リング１０に押し付けられる。このように当接部５８が駆動リング１０に押しつけられることによりブレーキとして機能するので無通電状態となってもその状態を維持できる。よって、本セクタ駆動装置１は採用したホームスイッチ５０によっても省電力化が図られている。
【００３４】
図２は、電磁アクチュエータ５に通電を行って駆動リング１０を時計方向ＣＷに回転させて絞り設定行程を行ったときの様子を示した図である。絞り羽根２０、３０、４０は開口３を所望の絞り状態に設定している。駆動リング１０の時計方向ＣＷへの移動に伴って、右側の凸部１３も移動してアイドルレバー６７から離れる。同様に左側の凸部１４も時計方向へ移動して当接カム７０が回動できる状態となる。このときホームスイッチ５０は、作動レバー５５の当接部５８が駆動リング１０の凹部１５から出て外周部に乗り上り、駆動リング１０の外周部に押圧される。これによりバネ５２の端部５２ｂが離れてスイッチ５３がオフとなる。
【００３５】
図３は、図２に示した絞り設定後に、シャッタ羽根を開閉駆動する開閉行程の様子を示した図である。この図３では、絞り羽根２０，３０，４０の図示を省略し、４枚のシャッタ羽根８０、８５、９０、９５を仮想の一点鎖線で図示している。なお、この図３では構成が確認し易いように、作動ピン６５、７５を駆動するため基板２に設けたスリット４ａ、４ｂの図示を省略している。
【００３６】
右側には２枚のシャッタ羽根８０、８５が配置され、電磁アクチュエータ６３によって開閉駆動される。シャッタ羽根８０は電磁アクチュエータ６３の軸６１と同軸上の軸に回動可能に設けられている。他方のシャッタ羽根８５は基板２に固定した軸８６に回動可能に設けられている。これらのシャッタ羽根８０、８５には、それぞれスリット８２、８７が形成されている。図示するように、シャッタ羽根８０、８５はスリット８２、８７が重なるように配置され、この部分に前述した作動ピン６５が係合している。この作動ピン６５は、前述したように電磁アクチュエータ６３によって駆動される。図３で示すのは、図１から電磁アクチュエータ６３のロータ軸６１が時計方向へ回動した状態である。これにより作動ピン６５が矢印ＲＰ方向へ移動している。この動作により、図３で示すようにシャッタ羽根８０、８５が開状態となっている。そして、これに伴いロータ軸６１に固定されている当接カム６０が図１の状態から時計方向へ回動している。
【００３７】
反対の左側のシャッタ羽根９０、９５について説明する。これらの羽根は電磁アクチュエータ７３によって開閉駆動される。シャッタ羽根９０は基板２に固定した軸９１に回動可能に設定されている。他方のシャッタ羽根９５は電磁アクチュエータ７３の軸７１と同軸上の軸に回動可能に設けられている。これらのシャッタ羽根９０、９５にもそれぞれスリット９２、９７が形成され、作動ピン７５によって揺動される。図３で示すシャッタ羽根９０、９５は、図１から電磁アクチュエータ７３のロータ軸７１が反時計方向へ回動した状態である。これにより作動ピン７５が矢印ＬＰ方向へ移動している。この動作によりシャッタ羽根９０、９５が閉状態となる。このように左側２枚のシャッタ羽根９０，９５は、開状態から閉状態へと移行し、当接カム７０が反時計方向へ回動する。
【００３８】
上記のように露光時には、右側の開放シャッタ羽根８０，８５が閉状態から開へと移行し、左側の閉鎖シャッタ羽根８０，８５が開状態から閉へと移行する。従来にあっては、図３で示した状態になると、電磁アクチュエータ６３、７３を当初から逆転駆動して各シャッタ羽根を初期位置に戻す作業が実行される。これに対して、本セクタ駆動装置１ではセクタ駆動リング１０を初期位置に戻す動作に伴って、各シャッタ羽根を初期位置へと戻すことができる。この点を図４を参照して説明する。なお、この図４は図１及び図２と同様に、シャッタ羽根の図示を省略し、絞り羽根２０、３０、４０のみを図示している。
【００３９】
図４は、図２及び図３に示した絞り設定状態から、駆動リング１０を初期状態へと戻すリターン行程を示した図である。この行程により駆動リング１０は図示のように反時計方向ＣＣＷに回動されて、図１に示した初期状態に戻される。このリターン行程の途中で駆動リング１０の凸部１３は、アイドルレバー６７に当接してこれを回転させる。このとき当接カム６０は図３に示した姿勢となっているので、回動するアイドルレバー６７によって図４に示す状態に戻される。同様に、駆動リング１０に設けた他方の凸部１４は当接カム７０に直に当接して図４に示す状態に戻すことになる。
【００４０】
以上詳述したように、本セクタ駆動装置１によると簡単な構成で駆動リング１０がホームポジションに戻る際の力を利用し、各シャッタ羽根を初期位置へと戻すことができるので省電力化を図った構造を実現できる。
【００４１】
なお、前述したように、図４のリターン行程では駆動リング１０の復帰動作のみで当接カム６０、７０の位置を初期位置に戻すようにしてもよいが、このように駆動リング１０から受ける力を補助として用い、電磁アクチュエータ６３，７３に通電を行って各シャッタ羽根を初期位置に戻すように構成してもよい。
【００４２】
以上、本発明の好ましい一実施形態について詳述したが、本発明は係る特定の実施形態に限定されるものではなく、特許請求の範囲に記載された本発明の要旨の範囲内において、種々の変形・変更が可能である。
【図面の簡単な説明】
【００４３】
【図１】初期状態にあるセクタ駆動装置の様子を示した図である。
【図２】駆動リングを時計方向に回転させて絞り設定行程を行ったときの様子を示した図である。
【図３】図２に示した絞り設定後に、シャッタ羽根を開閉駆動する開閉行程の様子を示した図である。
【図４】図２及び図３に示した絞り設定状態から、駆動リングを初期状態へと戻すリターン行程を示した図である。
【符号の説明】
【００４４】
１                  セクタ駆動装置
２                  基板
３                  開口
５                  電磁アクチュエータ
１０                駆動リング
１３                凸部
１４                凸部
２０、３０、４０    絞り羽根
５０                ホームスイッチ
６０                当接カム
６７                アイドルレバー
７０                当接カム
８０，８５          開放シャッタ羽根
９０，９５          閉鎖シャッタ羽根
【図１】
2005189656.tif 000003
【図２】
2005189656.tif 000004
【図３】
2005189656.tif 000005
【図４】
2005189656.tif 000006